【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
折り畳み式シェードと
折り畳み式シェードが展開したときの内部空間に配置される照明光源としての平板状ディスプレイと、
を備え、
折り畳み式シェードは、
光を散乱させて通すシート状部材を山折りして展開時には複数の山形折り曲げ形状を組み合わせた半円筒状となり、折り畳むと平面形状がコの字状の折り畳み体となるシェード部材と、
シェード部材の折り畳んだ状態におけるコの字状と同じコの字状形状を有する２つの平板フレームであって、そのうちの一方がシェード部材の折り畳んだ状態における一方側のコの字状端面に取り付けられ、他方がシェード部材の折り畳んだ状態における他方側のコの字状端面に取り付けられる２つの平板フレームと、
を備え、
２つの平板フレームはそれぞれシェード部材が展開されるときにシェード部材が折り畳み状態に戻ろうとする復元力に抗して半円筒状形状を維持できる質量を有し、
シェード部材が展開して２つの平板フレームが同一平面上に配置されることで、２つの平板フレームはそれぞれのコの字状が向かい合って矩形形状のディスプレイ配置空間を形成することを特徴とするディスプレイを光源とする折り畳み式照明装置。
【請求項２】
請求項１に記載のディスプレイを光源とする折り畳み式照明装置において、
平板状ディスプレイは、
携帯型スマートフォンのディスプレイまたは携帯電話のディスプレイであることを特徴とするディスプレイを光源とする折り畳み式照明装置。
【請求項３】
光を散乱させて通すシート状部材を山折りして展開時には複数の山形折り曲げ形状を組み合わせた半円筒状となり、折り畳むと平面形状がコの字状の折り畳み体となるシェード部材と、
シェード部材の折り畳んだ状態におけるコの字状と同じコの字状形状を有する２つの平板フレームであって、そのうちの一方がシェード部材の折り畳んだ状態における一方側のコの字状端面に取り付けられ、他方がシェード部材の折り畳んだ状態における他方側のコの字状端面に取り付けられる２つの平板フレームと、
を備え、
２つの平板フレームはそれぞれシェード部材が展開されるときにシェード部材が折り畳み状態に戻ろうとする復元力に抗して半円筒状形状を維持できる質量を有し、
シェード部材が展開して２つの平板フレームが同一平面上に配置されることで、２つの平板フレームはそれぞれのコの字状が向かい合って矩形形状の照明用光源配置空間を形成することを特徴とする照明装置用折り畳み式シェード。
【請求項４】
請求項３に記載の照明装置用折り畳み式シェードにおいて、
２つの平板フレームは、
互いに開閉自在となるように、それぞれのコの字状形状の脚部が接続されていることを特徴とする照明装置用折り畳み式シェード。
【請求項５】
請求項３に記載の照明装置用折り畳み式シェードにおいて、
２つの平板フレームには、それぞれ、
シェード部材が取り付けられる側と反対側の表面に所定の厚さを有する台板が設けられることを特徴とする照明装置用折り畳み式シェード。
【請求項６】
請求項５に記載の照明装置用折り畳み式シェードにおいて、
台板は、所定の表示を示す文字板または模様板であることを特徴とする照明装置用折り畳み式シェード。
【請求項７】
請求項３に記載の照明装置用折り畳み式シェードにおいて、
２つの平板フレームのいずれか一方に、照明用光源の引出コードを収納するコード溝が設けられることを特徴とする照明装置用折り畳み式シェード。
【請求項８】
請求項３に記載の照明装置用折り畳み式シェードにおいて、
シェード部材は、和紙で構成されることを特徴とする照明装置用折り畳み式シェード。
【請求項９】
請求項３に記載の照明装置用折り畳み式シェードにおいて、
大きさと質量が手で持てる可搬型であることを特徴とする照明装置用折り畳み式シェード。
【手続補正２】
【補正対象書類名】明細書
【補正対象項目名】０００７
【補正方法】変更
【補正の内容】
【０００７】
本発明に係るディスプレイを光源とする折り畳み式照明装置は、折り畳み式シェードと折り畳み式シェードが展開したときの内部空間に配置される照明光源としての平板状ディスプレイと、を備え、折り畳み式シェードは、光を散乱させて通すシート状部材を山折りして展開時には複数の山形折り曲げ形状を組み合わせた半円筒状となり、折り畳むと平面形状がコの字状の折り畳み体となるシェード部材と、シェード部材の折り畳んだ状態におけるコの字状と同じコの字状形状を有する２つの平板フレームであって、そのうちの一方がシェード部材の折り畳んだ状態における一方側のコの字状端面に取り付けられ、他方がシェード部材の折り畳んだ状態における他方側のコの字状端面に取り付けられる２つの平板フレームと、を備え、２つの平板フレームはそれぞれシェード部材が展開されるときにシェード部材が折り畳み状態に戻ろうとする復元力に抗して半円筒状形状を維持できる質量を有し、シェード部材が展開して２つの平板フレームが同一平面上に配置されることで、２つの平板フレームはそれぞれのコの字状が向かい合って矩形形状のディスプレイ配置空間を形成することを特徴とする。
【手続補正３】
【補正対象書類名】明細書
【補正対象項目名】０００９
【補正方法】変更
【補正の内容】
【０００９】
本発明に係る照明装置用折り畳み式シェードは、光を散乱させて通すシート状部材を山折りして展開時には複数の山形折り曲げ形状を組み合わせた半円筒状となり、折り畳むと平面形状がコの字状の折り畳み体となるシェード部材と、シェード部材の折り畳んだ状態におけるコの字状と同じコの字状形状を有する２つの平板フレームであって、そのうちの一方がシェード部材の折り畳んだ状態における一方側のコの字状端面に取り付けられ、他方がシェード部材の折り畳んだ状態における他方側のコの字状端面に取り付けられる２つの平板フレームと、を備え、２つの平板フレームはそれぞれシェード部材が展開されるときにシェード部材が折り畳み状態に戻ろうとする復元力に抗して半円筒状形状を維持できる質量を有し、シェード部材が展開して２つの平板フレームが同一平面上に配置されることで、２つの平板フレームはそれぞれのコの字状が向かい合って矩形形状の照明用光源配置空間を形成することを特徴とする。
【手続補正４】
【補正対象書類名】明細書
【補正対象項目名】００３６
【補正方法】変更
【補正の内容】
【００３６】
図５は、シェード部材２０，２１を形成する前の１枚の和紙１９を示す図である。図５において実線と破線が折り曲げ線で、実線は折り曲げ部３８の山部を形成するための折り曲げ線、破線が折り曲げ部３８の谷部を形成するための折り曲げ線である。山部を形成するための折り曲げ線は、天井折り曲げ面４０と正面折り曲げ面４２の境界、天井折り曲げ面４０と裏面折り曲げ面４４の境界、１０個の山形折り曲げ形状のそれぞれの山部となるところに設けられる。谷部を形成するための折り曲げ線は、１０個の山形折り曲げ形状のそれぞれの谷部となるところに設けられる。さらに、図３で説明したように、天井部２６，３２とその両側の脚部２８，２９，３４，３５が互いに直交する形状となるようにする折り曲げ部３８において、それぞれ、山部を形成するための折り曲げ線と谷部を形成するための折り曲げ線が設けられる。このように、１枚の和紙１９を折り曲げ線に沿って折り曲げて複数の折り曲げ部３８を形成して、図３に示す折り畳んだシェード部材２０を得ることができる。